(57)【要約】【課題】  ドアの固定および解除する方法は使用者がその都度屈み込んで行った。あるいはドアに複雑な装置を取り付け高価なものだった。あるいは磁石で固定したりする方法もあるが確実性において劣り、ロックをしようとすればその都度屈まなければならない。これらの不都合を解決すること。【解決手段】  図２のようにストッパーを兼ねた固定治具にテーパーを持ったガイド部品を取り付け、このガイド部品にレバーハンドルを摺動させながらレバーハンドルを下方に回転させる。ガイド領域（Ａ）を通過するとレバーハンドルは元の状態に復元し、ドアはストッパー（Ｆ）とガイド板（ａ）により拘束され固定される。固定されたドアの解除はレバーハンドルを下に回転させ手前に引けば固定は解除さる。この方法の特徴は、ドア解放時の慣性力でも自動的にドアの固定でき、高齢者や児童でも立ったまま簡単にドアの固定および解除が出来る。【選択図】図２
2008202379.tif 000002
【特許請求の範囲】
【請求項１】
レバーハンドルを回転および拘束するために１０〜４０度の傾斜を持ったガイド部品と、ドアの停止位置調整が可能なストッパーを有する固定治具を用いてレバーハンドルをガイド部品に摺動させながら回転させ、ガイド領域を通過すれば元の状態に復元することによりドアを固定する方法。
【請求項２】
ドアを固定するために可動範囲が制約されたドア固定金具を組み込み、ドアの停止位置調整が可能なストッパーを有する固定治具を用いてレバーハンドルがドア固定金具を押し上げ、ガイド領域を過ぎればドア固定金具は自重あるいはバネ力で元の位置に戻ることによりドアを固定する方法。
【発明の詳細な説明】
【技術分野】
【０００１】  本発明はレバーハンドルの付いたドアの固定治具と固定方法に関するものであり、壁面に取り付けた固定治具により、高齢者や児童でも立ったまま簡単に固定および解除が出来るようにしたものである。
【背景技術】
【０００２】  従来は床上に設置されたドアストッパーとドアに付けられた止め金具で固定する方法、あるいは磁石で固定する方法。その他に特許文献１、特許文献２，特許文献３，特許文献４，特許文献５などの方法がある。
【特許文献１】  特開２００１−１４０５２８号公報  「ストッパー装置」；くさび状固定部材をドアに取付け、その都度身体を屈めて固定する
【特許文献２】  特開平１０−１４０９１２号公報  「ドア固定装置」；ドア固定装置をドアに取付け、足で踏みつけ解放する大がかりな装置
【特許文献３】  特開平７−２３８７３２号公報  「ドア固定装置」；立ったまま操作できるドア固定装置。ドアノブに連動する軸をドアに内蔵させドアストッパーに嵌挿する。ドアの構造が複雑。
【特許文献４】  特開平０５−２３９９６７号公報  「ドア固定装置」；回動リンクにピン結合された操作杆を操作しスライド板に制動をかけ固定する。ドアの構造が複雑。
【特許文献５】  実案平０６−０１４３８３号公報  「ドア固定具」；ゴム製くさび、その都度身体を屈めて固定、解除する。
【発明の開示】
【発明が解決しようとする課題】
【０００３】  従来の床上に設置されたドアストッパーとドアに付けられた止め金具で固定する場合は、使用者は固定および解除ごとに床に屈み込みしなければならない。磁石で固定する方法は屈み込みしなくてよいが固定が確実ではなく、ロックしようとすればその都度屈み込まなければならない。また、特開で開示されているものは、ドアに大きな構造物をつけ、あるいは複雑な構造のドアとなっており高価となる。これらの不都合を解決することを課題とする。
【課題を解決するための手段】
【０００４】  請求項目１は、レバーハンドルの付いたドアを開閉する場合、ドアを壁面に取り付けた固定治具のストッパアーまで開ける。その時、レバーハンドルは固定治具のガイド部品を摺動しながら下方に回転する。ガイド部品を過ぎればレバーハンドルは元の状態に復元し、ドアはストッパーに当たり止まる。そしてドアはガイド部品とストッパーとで拘束され固定される。レバーハンドルの形状の違いに対応するためにドアストッパーは停止位置が調節出来き、ドアの保護のためにゴムなどの断衝材を付ける事ができる。固定されたドアの解除はレバーハンドルを下方に回転させればガイド部品の拘束がとけ、手前に引けば固定は解除される。この方法の特徴は、ドアの解放時の慣性力でも自動的にドアの固定ができ、高齢者や児童でも立ったまま簡単にドアの固定および解除が出来る。【０００５】  請求項目２は、レバーハンドルの付いたドアを開閉する場合、ドアを壁面に取り付けた固定治具のストッパーまで開ける。その時、レバーハンドルが固定治具に組み込まれたドア固定金具を押し上げ、ガイド領域を過ぎればドア固定金具は自重あるいはバネ力で元の位置に戻り、ドアはストッパーにあたり止まる。そしてドアはドア固定金具とストッパーで拘束され固定される。レバーハンドルの形状の違いに対応するためにストッパーは停止位置が調節出来き、ドアの保護のためにゴムなどの断衝材を付ける事ができる。固定されたドアの解除はレバーハンドルを下方に回転させればドア固定金具の拘束がとけ、手前に引けば固定は解除さる。この方法の特徴は、ドアの解放時の慣性力で自動的にドアの固定ができ、高齢者や児童でも立ったまま簡単にドアの固定および解除が出来る。
【発明の効果】
【０００６】  本発明により簡単な固定治具で、自動的にドアの固定でき、高齢者や児童でも立ったまま簡単にドアの固定および解除が出来る。
【発明を実施するための最良の形態】
【０００７】  図１は固定治具の取り付け場所と位置を示すもので、固定治具はドアを解放する壁面に取り付け、レバーハンドルの高さより少し上で、レバーハンドルの回転軸からずらした位置に設置する。【０００８】  図２は請求項１の方法で、固定治具の立面図および側面図でドア解放時のレバーハンドルの位置の動きを示したものである。材質は金属、木材などで製造できる。その形状は装飾など考慮して種々工夫できるが、この技術の基本はレバーハンドルをガイド部品（ａ）に摺動させながら回転させ、ガイド領域を通過すればレバーハンドルは元の状態に復元し、ドアはストッパー（Ｆ）に当たりとまる。そしてドアはガイド部品（ａ）とストッパー（Ｆ）で拘束することである。図中にレバーハンドル断面図の動きを示す。１はドアが開けられレバーハンドルがガイド部品（ａ）に接触した位置を示し、レバーハンドルはガイド部品（ａ）を摺動しがら下方に回転し２の位置に押し下げられ、ガイド部品（ａ）を通過すれば３の状態に復元する。その為３の位置から右方向（ドアを閉める方向）へはガイド部品（ａ）に拘束され動けない。一方、ドアはストッパー（Ｆ）に当たり左方向には進めないのでドアが拘束される。ここでガイド領域の長さ（Ａ）は、レバーハンドル内面とレバーハンドルが取り付けられたドアの面からの内法の長さ（Ｂ）より短くなければレバーハンドルはガイド部品（ａ）を通過できずドアが固定できない。ガイド部品（ａ）のテーパー角度（α）はレバーハンドルの内法の長さ（Ｂ）とガイド部がレバーハンドルを拘束できる高さ（Ｄ）とハンドルへの負荷を考慮して決められるが１０〜４０度程度がよい。この角度が大きすぎればレバーハンドルを押し下げる抵抗力が大きくなりドアの解放時の慣性力だけでガイド領域（Ａ）を通過し難くなり好ましくない。また、ガイド部品の高さ（Ｄ）はレバーハンドルを拘束できる高さがなければならないがレバーハンドルの断面の厚さの半分以上を拘束することが望ましい。さらに、固定治具の長さ（Ｌ）は短ければ短い方が良いが取手の外寸（Ｃ）より長くなければ取手が壁面に当たりガイド領域（Ａ）を通過できなくなりドアを拘束出来なくなる。
例えば、外寸（Ｃ）が５５ｍｍで内法の長さ（Ｂ）が３５ｍｍのレバーハンドルの場合、ガイド領域の長さ（Ａ）は３５ｍｍより短い３０ｍｍとし、ガイド部の高さ（Ｄ）はレバーハンドルが拘束できる１０〜２０ｍｍ程度で良く、テーパー（α）の角度は２０〜３５度となる。固定治具の長さ（Ｌ）は外寸（Ｃ）より長い６０〜６５ｍｍでよい。ストッパー（Ｆ）面にはゴムなどの断衝材で衝撃を吸収できるようにする。種々のレバーハンドルの形状のあわせる為に、ストッパー（Ｆ）は前後５ｍｍ程度の位置調整ができるようにする。ストッパーの取り付け位置は図４、６、７のようにも変える事もできる。また、別にストッパーのみドアに付けることもできる。しかし、レバーハンドルの形状に対応するためにドアの停止位置調整のし易さなど考えると固定治具に付けた方が良い。【０００９】  図３はドアを拘束した時の、ドアと固定治具の相互関係を示したもので図２の上面から見た平面図である。図中で固定治具は壁面に取り付けられており、ドアが左方向へ動く（ドアが開けられる方向）場合、ストッパー（Ｆ）に当たりこれ以上左には動けない。右方向（ドアを閉める方向）にはガイド部品（ａ）に当たり動けない。これによりドアが固定される。ドアの固定を解除するときはレバーハンドルを下方に下げればガイド部品（ａ）の拘束が解け、手前に引けば簡単に解除できる。【００１０】  図４はガイド部品（ｂ）が線材を折り曲げて作られたもので最も簡素化したものである。ガイド領域（Ａ）はレバーハンドルの内法の長さ（Ｂ）より短く、固定治具先端からドアストッパーまでの距離（Ｅ）とガイド領域（Ａ）の差はレバーハンドルの取手の幅（Ｗ）より広くなければならない。【００１１】  図５、６および７は請求項２の固定治具に可動範囲が制約されたドア固定金具（ｂ）が組み込まれた例である。ここでは主な例を３通り示すが、その他にドア固定金具（ｂ）の形状、取り付け位置を変えるなどアレンジする事ができるが、この技術の基本は固定治具に組み込まれたドア固定金具（ｂ）をレバーハンドルが押し上げ、レバーハンドルがガイド領域（Ａ）を通り過ぎれば、ドア固定金具（ｂ）は自重又はバネ力で元の位置にもどり、ドアはストッパー（Ｆ）に当たり止まり、ドア固定金具（ｂ）とストッパー（Ｆ）とで拘束する方法である。種々のレバーハンドルの形状すなわちドア面とレバーの内法の長さ（Ｂ）の違いあるいはレバーハンドルの取手の幅（Ｗ）にあわせる為に、ストッパー（Ｆ）は前後５ｍｍ程度の位置調整ができるようにする。ドアの固定を解除するときはレバーハンドルを下方にさげれば、ドア固定金具（ｂ）の拘束がとけ、手前に引けば簡単に解除できる。この方法はドアを開けた時の慣性力で自動的に固定出来る事である。【００１２】  図５は線材で作られたドア固定金具（ｂ）の例で、ドア固定金具（ｂ）はＰ点を支点に振り子の様に自由に右回転（時計の針の進む方向）できる。ドア固定金具（ｂ）他の端はＬ字型に曲げられており固定治具上面に引っ掛かって止まる様に取り付けてあるためこの位置からの左回転はできない。ドアの固定方法はレバーハンドルがドア固定金具（ｂ）を押し上げガイド領域（Ａ）を通過すれば自重で元の位置に戻りドア固定金具（ｂ）��ストッパー（Ｆ）とで拘束される。【００１３】  図６はドア固定金具（ｂ）が板状でできたものであり、ストッパーの取り付け位置を変えたものである。ドア固定金具（ｂ）はＰ点を支点に自由に右回転できるが、左回転はＧ面に当たりできない様に取り付ける。レバーハンドルがドア固定金具（ｂ）を押し上げガイド領域（Ａ）を通過すれば、ドア固定金具（ｂ）は自重で元の位置に戻り、ドアはストッパー（Ｆ）にあたり止まる。ドアはドア固定金具（ｂ）とストッパー（Ｆ）とで拘束される。この時、固定治具先端からドアストッパーまでの距離（Ｅ）とガイド領域（Ａ）の差はレバーハンドルの取手の幅（Ｗ）より広くなければならない。【００１４】  図７はドア固定金具（ｂ）が上下に移動する方法でレバーハンドルがドア固定金具（ｂ）の傾斜に沿って押し上げガイド領域（Ａ）を通過すればバネ力で元の位置に戻りドアはストッパーにあたり止まる。ドアはドア固定金具（ｂ）とストッパー（Ｆ）とで拘束され固定出来る。この時、固定治具先端からストッパーまでの距離（Ｅ）とガイド領域（Ａ）の差はレバーハンドルの取手の幅（Ｗ）より広くなければならない。これらの方法は、ドアを開けた時の慣性力で自動的に固定できる。
【産業上の利用可能性】
【００１５】  本発明の固定金具は、工業的に量産可能であるために産業上の利用可能性を有する。
【図面の簡単な説明】
【００１６】
【図１】  固定治具の取り付け場所と位置を示す概略図
【図２】  ガイド部品が板状の固定治具の立面図および側面図とレバーハンドルの移動概念図
【図３】  ドアを固定した時の固定治具とドアおよびレバーハンドルの相互関係を示す図で図２の上から見た平面図
【図４】  ガイド部品が線材で作られた固定治具の立面図
【図５】  ドア固定金具が線材で作られた固定治具の立面図および側面図
【図６】  ドア固定金具が板材で作られた固定治具の立面図および側面図
【図７】  ドア固定金具が上下に動く固定治具の立面図および側面図
【符号の説明】
【００１７】Ａ；ガイド領域の長さ
Ｂ；レバーハンドル内面とドア面との間隔の長さ（内法）
Ｃ；レバーハンドル外面とドア面との外寸の長さ
Ｄ；レバーハンドルを固定するガイド部品あるいはドア固定金具の高さ
Ｅ；固定治具先端からストッパーまでの距離
Ｆ；ストッパー（網掛け部分は断衝材）
Ｇ面；ドア固定部材の左回転を止める面
Ｌ；固定治具の長さ
Ｐ；ドア固定金具が回転する支点
Ｗ；レバーハンドルの取手の幅
ａ；ガイド部品
ｂ；ドア固定金具
１；レバーハンドルが最初に固定治具に接触した位置
２；レバーハンドルがガイド板の頂点を摺動する位置
３；レバーハンドルがガイド板を通過し元の状態に復元した位置
【図１】
2008202379.tif 000003
【図２】
2008202379.tif 000004
【図３】
2008202379.tif 000005
【図４】
2008202379.tif 000006
【図５】
2008202379.tif 000007
【図６】
2008202379.tif 000008
【図７】
2008202379.tif 000009